(57)【特許請求の範囲】
【請求項１】
多行多列に並んだ多数のマスを具備した予備撒きカセットより列数の多い多行多列に並んだ多数の区画室を具備していて前記予備撒きカセットから一括して薬剤を受け取る多列コンベアと、その行数より個数の多い一列に並んだ多数の区画室を具備していて前記多列コンベアから一列分ずつ薬剤を受け取る単列コンベアとを備えた薬剤手撒き装置において、前記区画室がコンベア進行方向に分割も合体も可能な前後の分割体を具備したものであり、縦面内のコンベア送りによって前記区画室が薬剤排出位置に来ると前記分割体が前後に割れ、縦面内のコンベア送りによって前記区画室が薬剤排出位置を過ぎてから薬剤受取位置に来るまでの間に前記分割体が合わさるようになっていることを特徴とする薬剤手撒き装置。
【請求項２】
多行多列に並んだ多数のマスを具備した予備撒きカセットより行数の多い多行多列に並んだ多数の区画室を具備していて前記予備撒きカセットから一括して薬剤を受け取る多列コンベアを備えた薬剤手撒き装置において、前記区画室がコンベア進行方向に分割も合体も可能な前後の分割体を具備したものであり、縦面内のコンベア送りによって前記区画室が薬剤排出位置に来ると前記分割体が前後に割れ、縦面内のコンベア送りによって前記区画室が薬剤排出位置を過ぎてから薬剤受取位置に来るまでの間に前記分割体が前後に合わさるようになっていることを特徴とする薬剤手撒き装置。
【請求項３】
前記分割体のうち前側のものである前方分割体よりも側方に出ている当接部が、前記分割体のうち後ろ側のものである後方分割体に形成されており、薬剤排出位置に来た前記区画室の後方分割体の当接部が当接する被当接部材が、コンベア送りの対象外の所に装備されていることを特徴とする請求項１又は請求項２に記載された薬剤手撒き装置。
【請求項４】
縦面内のコンベア送りによって前記区画室が複数個直線状に並ぶと、前側の区画室の後方分割体が後ろ側の区画室によって前方へ押されて、前側の区画室における前後の分割体が合体するようになっていることを特徴とする請求項１乃至請求項３の何れか一項に記載された薬剤手撒き装置。
【発明の詳細な説明】
【技術分野】
【０００１】
この発明は、多数のマスが縦横に即ち多行多列に並んで形成された予備撒きカセットから一括して薬剤を受け取る作動部（作動部材）を具えた薬剤手撒き装置に関し、詳しくは、作動部が多列コンベアを具えており、多列コンベアが多行多列の区画室を具えている薬剤手撒き装置に関する。
なお、マスと区画室は、何れも薬剤を区分収容するものであり、ほぼ同義語・類義語と言えるが、本願では、予備撒きカセットの区分収容体をマスと呼び、作動部のコンベアの区分収容体を区画室と呼んで、呼び分ける。
【背景技術】
【０００２】
薬剤分包機に組み込まれる薬剤手撒き装置は（例えば特許文献１〜６参照）、多行多列に並んだ多数のマスを具備した予備撒きカセットと、それより列数の多い多行多列に並んだ多数の区画室を具備していて前記予備撒きカセットから一括して薬剤を受け取る多列コンベアと、その行数より個数の多い一列に並んだ多数の区画室を具備していて前記多列コンベアから一列分ずつ薬剤を受け取る単列コンベアとを備えている。
それらの単列コンベアと多列コンベアとが、各区画室単位ひいては各マス単位で薬剤を逐次排出する作動部を成しており、その駆動が専用や兼用の手段にて制御される。
【０００３】
予備撒きカセットは、薬剤分包機への組み込みに際して分包機筐体から引出可能に及び／又は着脱可能に装備されるものであり、筐体から引き出した状態や抜き取った状態で各マスへの薬剤投入すなわち予備撒きが人手や代行装置によって行われる。
予備撒き済みの予備撒きカセットは、使用時に薬剤分包機にセットされて多列コンベアの上方に位置し、その状態で開操作がなされると、各マスの底を一斉に開いて、各マス内の薬剤をそれぞれ直下の多列コンベアの区画室へ投下する。
これにより、手撒き時の区分状態を維持したまま薬剤が予備撒きカセットから作動部の多列コンベアへ移し替えられる。
【０００４】
多列コンベアと単列コンベアは、列数と向きは異なるが、何れも、縦面内（鉛直面内）を循環するベルト（コンベア）の外周面に多数の区画室（区画部材，区分収容体）を上記の縦面内で揺動しうる状態で列設したものであり、循環運動によってベルトの上側に来ている区画室に薬剤を受け入れ、その後の循環運動によってベルトの一端部で下向きになった区画室から薬剤を落下させ、その後の循環運動によってベルトの下側を移動させて区画室をベルトの他端部へ送り更にベルトの上側へ戻すようになっている。
このように縦面内でコンベア及び区画室列を循環移動させる作動部では、区画室は薬剤の受入と放出を同じ開口から行う。
【０００５】
そして、多列コンベアを一区画分だけ循環運動させると、手撒き時の区分状態を維持したまま、多列コンベアから一列分の薬剤が単列コンベアへ移し替えられ、さらに単列コンベアを一区画分だけ循環運動させると、やはり手撒き時の区分状態を維持したまま、先ほど移された一列分の薬剤のうちから一区画室分の薬剤が落下排出される。
このような動作が繰り返されることにより、薬剤が、作動部から一区画室分ずつ排出されるので、予備撒きカセットの各マス単位で且つ手撒き時の区分を反映する形で、薬剤分包機での分包に供される。
【先行技術文献】
【特許文献】
【０００６】
【特許文献１】特開平６−８０１０３号公報
【特許文献２】特開２００７−２０９６００号公報
【特許文献３】特開２００７−２９７０６６号公報
【特許文献４】特開２０１０−００５２２５号公報
【特許文献５】特開２０１０−０１１９８６号公報
【特許文献６】特開２０１０−０１３１４５号公報
【発明の概要】
【発明が解決しようとする課題】
【０００７】
このような従来の薬剤手撒き装置では、作動部の区画室が、それが多列コンベアの区画室であれ単列コンベアの区画室であれ、コンベア端部でのベルト折り返しに伴って薬剤排出時に上向きから下向きへ傾動・揺動することで重力だけでなく遠心力や振動の作用も利用して薬剤を開口から放出するようになっている（例えば特許文献１，４〜６参照）。
また、そのような薬剤の放出を円滑かつ確実に行なわせるために、各区画室について、開口を内底より広くしたり、内側面に縦線状突起を形成したり、内底面に微小突起を形成するといった、更なる改良もなされている（例えば特許文献４〜６参照）。
【０００８】
しかしながら、一部の薬剤では、例えば錠剤を裁断した半錠の薬剤などでは、破断面の存在に起因して区画室の内面との当接態様が一様でなく多様なため、時には上述の対策でも効果が足りなくて円滑には放出されず、放出に時間を要することがある。
区画室からの薬剤放出の時間が長くなるのは稀とは言え、その発現時期を予測できないので、薬剤排出を確実に行わせるには、最長排出時間に合わせて作動部全体の動作サイクルを常に長くしておくことが必要になるため、分包処理の能率が低下する。
そこで、区画室から薬剤をより円滑かつ確実に放出する薬剤手撒き装置を実現することが技術課題となる。
【課題を解決するための手段】
【０００９】
本発明の薬剤手撒き装置は（解決手段１）、このような課題を解決するために創案されたものであるが、作動部に多列コンベアと単列コンベアとが含まれている従来の薬剤手撒き装置をベースにしており、次のようになっている。
多行多列に並んだ多数のマスを具備した予備撒きカセットより列数の多い多行多列に並んだ多数の区画室を具備していて前記予備撒きカセットから一括して薬剤を受け取る多列コンベアと、その行数より個数の多い一列に並んだ多数の区画室を具備していて前記多列コンベアから一列分ずつ薬剤を受け取る単列コンベアとを備えた薬剤手撒き装置において、前記区画室がコンベア進行方向に分割も合体も可能な前後の分割体を具備したものであり、縦面内のコンベア送りによって前記区画室が薬剤排出位置に来ると前記分割体が前後に割れ、縦面内のコンベア送りによって前記区画室が薬剤排出位置を過ぎてから薬剤受取位置に来るまでの間に前記分割体が合わさるようになっていることを特徴とする。
ここで、行と列は交差する２方向それぞれにおける並びであるが、どの並びが行に該当するのか列に該当するのかは相対的なものであり、２方向のうち何れか一方向の並びを行に該当するとすれば他方向の並びが列に該当することとなる。
【００１０】
また、本発明の薬剤手撒き装置は（解決手段２）、やはり上述した課題を解決するために創案されたものであるが、作動部から単列コンベアを省いて多列コンベアを残した構成の薬剤手撒き装置に係り、次のようになっている。
多行多列に並んだ多数のマスを具備した予備撒きカセットより行数の多い多行多列に並んだ多数の区画室を具備していて前記予備撒きカセットから一括して薬剤を受け取る多列コンベアを備えた薬剤手撒き装置において、前記区画室がコンベア進行方向に分割も合体も可能な前後の分割体を具備したものであり、縦面内のコンベア送りによって前記区画室が薬剤排出位置に来ると前記分割体が前後に割れ、縦面内のコンベア送りによって前記区画室が薬剤排出位置を過ぎてから薬剤受取位置に来るまでの間に前記分割体が前後に合わさるようになっていることを特徴とする。
ここでも、行と列との関係は上述したものと同じである。
【００１１】
さらに、本発明の薬剤手撒き装置は（解決手段３）、上記解決手段１，２の薬剤手撒き装置であって、前記分割体のうち前側のものである前方分割体よりも側方に出ている当接部が、前記分割体のうち後ろ側のものである後方分割体に形成されており、薬剤排出位置に来た前記区画室の後方分割体の当接部が当接する被当接部材が、コンベア送りの対象外の所に装備されていることを特徴とする。
【００１２】
また、本発明の薬剤手撒き装置は（解決手段４）、上記解決手段１〜３の薬剤手撒き装置であって、縦面内のコンベア送りによって前記区画室が複数個直線状に並ぶと、前側の区画室の後方分割体が後ろ側の区画室によって前方へ押されて、前側の区画室における前後の分割体が合体するようになっていることを特徴とする。
【発明の効果】
【００１３】
このような本発明の薬剤手撒き装置にあっては（解決手段１，２）、区画室が既述したように薬剤の受入口と放出口を兼ねる開口を有するものであって縦面内でのコンベア送りによって縦面内で循環移動するものであるところ、そのような区画室を、コンベア送りされて循環移動する区画室をコンベア進行方向における前後に分割するとともに、その前後の分割体を分割も合体も可能なように構成したうえで、コンベア送りによって区画室が薬剤排出位置に来ると分割体が前後に割れ、コンベア送りによって区画室が薬剤排出位置を過ぎてから薬剤受取位置に来るまでの間に分割体が合わさるようにしたことにより、区画室が、薬剤受取位置では従来通り上面開口の箱体となって不都合なく予備撒きカセットのマスから落下薬剤を受け取り、薬剤排出位置では、前後の分割体の割れによって開口を大きく広げるとともに付随的に軽い衝撃や振動も生じる。そのため、区画室の開口が一定だったときよりも円滑かつ確実に、薬剤が区画室の開口から放出されることとなる。
したがって、この発明によれば、区画室から薬剤をより円滑かつ確実に放出する薬剤手撒き装置を実現することができる。
【００１４】
また、本発明の薬剤手撒き装置にあっては（解決手段３）、コンベア送りされる区画室のうち後方分割体に当接部を形成しておくとともに、コンベア送りされない支持部材などに被当接部材を装備させて、コンベア送りにより区画室が薬剤排出位置に来るとその前方分割体は被当接部材に当接せず後方分割体の当接部が被当接部材に当接するようにしたことにより、前方分割体がコンベア送りで前進するときに後方分割体が当接にて一時停止することから、区画室の前後分割がコンベア送りに随伴して行われるので、区画室の前後分割のために駆動機構や制御手段を設けるまでもなく簡便に、薬剤排出位置に来た区画室の分割体を前後に割ることができる。
したがって、この発明によれば、区画室から薬剤をより円滑かつ確実に放出する薬剤手撒き装置を簡便に実現することができる。
【００１５】
さらに、本発明の薬剤手撒き装置にあっては（解決手段４）、縦面内のコンベア送りによって区画室が複数個直線状に並ぶと前側の区画室の後方分割体が後ろ側の区画室によって前方へ押されて前側の区画室における前後の分割体が合体するようにしたことにより、区画室の前後の分割体の合体がコンベア送りに随伴して行われるので、区画室の合体のために駆動機構や制御手段を設けるまでもなく簡便に、割れた区画室を合わせることができる。しかも、それは、多数の区画室をコンベアに列設する際にコンベアの直線部分で前後の区画室が押し合う程度に密に区画室を並べるといったことで簡便に具現化される。
したがって、この発明によれば、区画室から薬剤をより円滑かつ確実に放出する薬剤手撒き装置を簡便に実現することができる。
【図面の簡単な説明】
【００１６】
【図１】本発明の実施例１について、薬剤手撒き装置の構造を示し、（ａ）が薬剤手撒き装置を装備した薬剤分包機の正面図（Ｂ矢視）、（ｂ）がその薬剤分包機の右側面図（矢印Ａの逆向き視）、（ｃ）が薬剤手撒き装置の要部の正面図（Ｂ矢視）、（ｄ）が単列コンベアの要部の左側面図（Ａ矢視）、（ｅ）が合体している区画室の斜視図、（ｆ）が前後に割れている区画室の斜視図である。
【図２】薬剤手撒き装置の動作状態を時系列で示しており、（ａ）〜（ｆ）何れも一コンベア（多列コンベア内の一コンベア又は単列コンベア）のうち薬剤排出位置近傍部分の模式図である。
【図３】本発明の実施例２について、薬剤手撒き装置の構造を示し、（ａ）が薬剤手撒き装置の要部の左側面図（Ａ矢視）、（ｂ）がその平面図である。
【発明を実施するための形態】
【００１７】
このような本発明の薬剤手撒き装置について、これを実施するための具体的な形態を、以下の実施例１〜２により説明する。
図１〜２に示した実施例１は、上述した解決手段１，３，４（出願当初の請求項１，３，４）を具現化したものであり、図３に示した実施例２は、上述した解決手段２〜４（出願当初の請求項２〜４）を具現化したものである。
なお、それらの図示に際しては、簡明化等のため、ベース・フレーム等の静止支持部材や，引出レール等の可動支持部材，ボルト等の締結具，電動モータ等の駆動源，ギヤ・タイミングベルト等の伝動部材，モータドライバ等の電気回路，コントローラ等の電子回路などは図示を割愛し、発明の説明に必要なものや関連するものを中心に図示した。
【実施例１】
【００１８】
本発明の薬剤手撒き装置の実施例１について、その具体的な構成を、図面を引用して説明する。図１は、（ａ）が薬剤手撒き装置２０を装備した薬剤分包機１０の正面図（Ｂ矢視）、（ｂ）がその薬剤分包機１０の右側面図（矢印Ａの逆向き視）、（ｃ）が多列コンベア４０と単列コンベア５０とを具備した薬剤手撒き装置２０の要部の正面図（Ｂ矢視）、（ｄ）が単列コンベア５０の要部の左側面図（Ａ矢視）、（ｅ）が合体している区画室６０の斜視図、（ｆ）が前後に割れている区画室６０＊の斜視図である。
【００１９】
なお、図１では、合体状態の区画室には単に符号「６０」を付し、前後に割れている区画室には「＊」付きの符号「６０＊」を付している。
また、図２（ａ）は、多列コンベア４０における各列のコンベア或いは単列コンベア５０のうち薬剤排出位置の近傍に来ている部分の模式図である。
【００２０】
薬剤分包機１０は（図１（ａ），（ｂ）参照）、ここでは錠剤分包機を図示したが、その概要を説明すると、筐体１１の上段部の引出体の棚に着脱自在に設置された多数の錠剤フィーダから排出された薬剤と、薬剤手撒き装置２０から排出された薬剤とを、何れもホッパ１３（薬剤収集機構）にて収集し、更に筐体１１の下段部の包装機１２に送り込んで、分包紙に区分包装させることで、分包するようになっている。
【００２１】
薬剤手撒き装置２０は、そのような薬剤分包機１０の筐体１１の中段部に内装されており、薬剤を手撒きするときには、薬剤手撒き装置２０のうち後述する上段の予備撒きカセット３０を筐体１１の前面から引き出すことができる。また、手撒き終了後は押し戻し操作やスイッチ操作にて予備撒きカセット３０を筐体１１の中に収納し、その状態で、薬剤分包機１０の分包動作に連動して薬剤をホッパ１３へ逐次排出するようになっている。
この薬剤手撒き装置２０は（図１（ｃ），（ｄ）参照）、先に言及した上段の予備撒きカセット３０と、以下に述べる中段の多列コンベア４０（コンベヤー）と、下段の単列コンベア５０（コンベヤー）とを具えている（例えば特許文献１〜６参照）。
【００２２】
予備撒きカセット３０は、多数のマス（区分収容体）３３，３３…を具備したカセット枠と図示しない引出部材とシャッタ作動部材とモータ等を具えており、カセット枠は引出部材によって支持されて筐体１１の前面パネルの開口から前方（矢印Ｂの反対方向）へ引き出し可能になっており、図示しないスイッチ操作に応じてモータが作動することによってカセットが筐体１１から出入りするようになっている。多数のマス３３，３３…は、何れも薬剤投入のため上面が解放されており、何れも底面が両開きや片開きのシャッタを装備していて、シャッタ作動部材によって全マス同時に開閉されるようになっており、多行多列に例えば前後方向（矢印Ｂ方向）６行・左右方向（矢印Ａ方向）１１列に並んだ状態でカセット枠に取り付けられている（例えば特許文献１〜６参照）。
【００２３】
多列コンベア４０は、収納状態の予備撒きカセット３０の直下に位置して筐体１１に内蔵されており、複数の無端ベルト（コンベア）２４，２４…と、複数の区画室６０，６０…と、図示しないモータ及び伝動機構とを具えている（例えば特許文献１〜６参照）。無端ベルト２４は、何れも、可撓性・弾性に富んだ合成ゴムや軟質プラスチック等から作られ、左右に配された支軸に掛け回して張設されて、モータの作動によって縦面内で循環動作するようになっている。また、多列コンベア４０は、予備撒きカセット３０の直下に来ている複数の区画室６０，６０…それぞれに予備撒きカセット３０の各マス３３から一括して薬剤を受け取るために、区画室６０の行数（前後方向・矢印Ｂ方向における並び数）はマス３３の行数と同じであるが、区画室６０の列数（左右方向・矢印Ａ方向における並び数）は無端ベルト２４の上側部分だけでもマス３３の列数と同じか多くなっている。
【００２４】
単列コンベア５０は、多列コンベア４０の一端（図では左端）の直下に位置して筐体１１に内蔵されており、一本の無端ベルト（コンベア）２４と、複数の区画室６０，６０…と、図示しないモータ及び伝動機構とを具えている（例えば特許文献１〜６参照）。無端ベルト２４は、やはり可撓性・弾性に富んだ合成ゴムや軟質プラスチック等から作られ、前後に配された短い支軸に掛け回して張設されて、電動モータの作動によって縦面内で循環動作するようになっている。単列コンベア５０が複数の区画室６０，６０…に多列コンベア４０から左端の一列分ずつ薬剤を受け取るために、単列コンベア５０における複数の区画室６０，６０…の並びは一列であるが、その個数は、無端ベルト４１の上側部分だけでも、多列コンベア４０において多行多列に配置された区画室６０，６０…の各列における区画室６０の個数すなわち行数と同じかそれより多くなっている。
【００２５】
区画室６０は（図１（ｃ）〜（ｆ）参照）、多列コンベア４０のものも、単列コンベア５０のものも、一面全体が解放されて開口になっており他の五面に板体が配されている角箱状の区分収容体であり、平面視・開口視でマス３３とほぼ同じ面積を占有している。開口は、マス３３から落下した薬剤の受け入れに用いられるとともに、受け入れて収容した薬剤の排出・放出にも兼用されるので、一面だけであり、区画室６０は薬剤の円滑な出し入れのために開口面が内底面より少し広くなっている。区画室６０の底部には取付部６４が形成されており、その取付部６４を直に或いは揺動軸ピン等を介在させて無端ベルト２４の外周面に係着させることで、区画室６０が無端ベルト２４にコンベア送り可能な植設状態で取り付けられる。
【００２６】
無端ベルト２４が上述したように縦面内（鉛直面内）で循環動作するものであり、そのような無端ベルト２４の外周面に複数の区画室６０，６０…が各区画室の幅とほぼ同じピッチで列設されているため、複数の区画室６０，６０…は、無端ベルト２４の循環動作によって縦面内のコンベア送りがなされ、無端ベルト２４の上側の直進部分では、開口を上にして直線状に而も密に並び、無端ベルト２４の下側の直進部分では、開口を下にして直線状に而も密に並び、無端ベルト２４の転回部分では、他の区画室６０から離れるとともに、開口を外側にしてＵターンするものとなる（例えば特許文献４〜６参照）。
【００２７】
また（図１（ｅ），（ｆ）参照）、区画室６０は、無端ベルト２４のコンベア進行方向において前後に位置する前方分割体６１と後方分割体６２とを具備したものであり、それら前後の分割体６１，６２は、底部を連結部６３に連結されていて、連結部６３を中心にして揺動することで分割も合体も可能になっており、前後の分割体６１，６２が合わさると区画室６０が箱状になり（図１（ｅ）参照）、分割体６１，６２が前後に分かれると区画室６０が割れて開き開口が広がるものとなっている（図１（ｆ）参照）。
【００２８】
さらに（図１（ｅ），（ｆ）参照）、区画室６０は、後方分割体６２に当接部６５が形成されている。当接部６５は、後方分割体６２の側面に植設されたピン様の小さな突起物を例示したが、前方分割体６１よりも側方に出ていれば良い。
被当接部材２２は（図１（ｃ），（ｄ），図２（ａ）参照）、棒状のものの先端部だけを例示したが、コンベア送りの対象外であって常態では静止している基部や支持枠などに装着されており、無端ベルト２４及び区画室６０が前向き直進を終えて下向きに転回する所である薬剤排出位置に被当接部分を位置させている。そして、薬剤排出位置に区画室６０がコンベア送りされて来ると、その区画室６０の前方分割体６１は素通りさせるが、後方分割体６２の当接部６５は当接させるようになっている。
【００２９】
この実施例１の薬剤手撒き装置２０及びそれを装備した薬剤分包機１０について、その使用態様及び動作を、図面を引用して説明する。
図２は、薬剤手撒き装置２０の要部の動作状態を時系列で示しており、図２（ａ）〜（ｆ）は、何れも、多列コンベア４０における各列のコンベア或いは単列コンベア５０のうち薬剤排出位置の近傍に来ている部分の模式図である。なお、複数の区画室６０，６０…のうち個別に指摘したいものについては６０ａ，６０ｂ，６０ｃの符号を付している。
【００３０】
このような薬剤手撒き装置２０では、手撒きに先立って予備撒きカセット３０が薬剤分包機１０の筐体１１から引き出され（図１（ｂ）参照）、そのマス３３に図示しない指示箋や表示に従って薬剤が手撒きされ、手撒き後は、予備撒きカセット３０が筐体１１の中に戻される。このとき、多列コンベア４０も単列コンベア５０も初期状態で停止しており、それらの区画室６０は総て空になっている（図２（ａ）参照）。そして、薬剤収納状態の予備撒きカセット３０から薬剤８が一括して多列コンベア４０に移し替えられる。すなわち、多数のマス３３，３３…に区分けされた薬剤８，８…が、各マス３３からその直下に一つずつ対応して位置する区画室６０へ落下するので（図２（ｂ）参照）、手撒き時の区分状態を維持したまま、無端ベルト２４の上で即ち薬剤受取位置で開口を上に向けている複数の区画室６０，６０…に移し替えられる（図２（ｃ）参照）。
【００３１】
それから、薬剤分包機１０の自動分包に連動して、多列コンベア４０の区画室６０，６０…のうち薬剤排出位置に来た先頭の一列分の薬剤８，８…が単列コンベア５０の区画室６０，６０…に区分状態を維持しながら移し替えられ、さらに単列コンベア５０の複数の区画室６０，６０…のうち薬剤排出位置に来た先頭の一室分の薬剤８がホッパ１３を介して包装機１２に投入される。そして、一室分ずつ小分けした薬剤８の投入が繰り返されて、単列コンベア５０が空になると、多列コンベア４０から先頭一列分の薬剤が単列コンベア５０に移し替えられ、一室分ずつ小分けした薬剤８の投入が再開される。
【００３２】
こうして薬剤８が手撒き時の区分に従って自動で薬剤手撒き装置２０から一区分ずつ分包に供されるが、その際に薬剤８が区画室６０から排出される状況を詳述する。
無端ベルト２４が駆動されて縦面内で循環運動を始めると（図２（ｄ）参照）、その縦面内のコンベア送りによって複数の区画室６０，６０…が循環移動を始め、無端ベルト２４の上側に並んでいる区画室６０，６０…のうち先頭の区画室６０ａが前進から下向きに傾動し始めるとともに、その下方で既に横向きか下斜めになっていた区画室６０ｂが、そのうち少なくとも区画室６０ｂの前方分割体６１は、下向きになる。
【００３３】
すると、無端ベルト２４の上側部分と下側部分が張設によって直線状になっているうえ、区画室６０，６０…が直線状に並ぶと密接するように列設されていることから、区画室６０ｂの前方分割体６１によって、その前の区画室６０ｃが、そのうち少なくとも区画室６０ｃの後方分割体６２は、後ろから前へ押されるため、区画室６０ｃにおける前後の分割体６１，６２が無端ベルト２４の下側で前後に合わさるので、区画室６０が薬剤排出位置を過ぎてから薬剤受取位置に来るまでの間に前後の分割体６１，６２が前後に合わさって区画室６０が薬剤受取可能な一面解放箱体に戻る。
【００３４】
それから、無端ベルト２４による縦面内のコンベア送りが進んで、区画室６０ａが薬剤排出位置まで傾動して横向きかそれに近い傾斜状態になると（図２（ｅ）参照）、区画室６０ａの当接部６５が被当接部材２２に当接して移動を妨げられる。そのため、更なる縦面内のコンベア送りによって（図２（ｆ）参照）、区画室６０ａが薬剤排出位置を更に傾動すると、区画室６０ａは、前方分割体６１だけが傾動し後方分割体６２が傾動を止められるので、前後の分割体６１，６２の開口側が離れる。
【００３５】
こうして、区画室６０ａの分割体６１，６２が前後に割れて、区画室６０の開口が一気に広がるとともに、区画室６０の前方分割体６１が斜め下向きになるので、区画室６０ａに収容されていた薬剤８，８…が円滑かつ確実に放出される。
そして、無端ベルト２４による縦面内のコンベア送りが区画室６０，６０…列設ピッチで１ピッチ分だけ完了する前に、区画室６０ａでは、前方分割体６１の転回の進行に伴う連結部６３の進行によって後方分割体６２の当接部６５が被当接部材２２から外れるので、上述した１ピッチ分のコンベア送り完了時には、後続の区画室６０から薬剤８，８…を排出する態勢が整う（図２（ｃ）参照）。
【実施例２】
【００３６】
本発明の薬剤手撒き装置の実施例２について、その具体的な構成を、図面を引用して説明する。図３は、（ａ）が薬剤手撒き装置７０の要部の左側面図（Ａ矢視）、（ｂ）が薬剤手撒き装置７０の要部の平面図である。ここでも、合体している区画室には単に符号「６０」を付し、前後に割れている区画室には＊付きの符号「６０＊」を付している。
【００３７】
この薬剤手撒き装置７０が上述した実施例１の薬剤手撒き装置２０と相違するのは、予備撒きカセット３０が予備撒きカセット７１になった点と、多列コンベア４０が多列コンベア７２になった点と、単列コンベア５０が省かれた点である。
予備撒きカセット７１は、基本的に多列コンベア４０の構成を踏襲しているが、予備撒きカセット３０では６行（矢印Ｂ方向の並び数）・１１列（矢印Ａ方向の並び数）で６６個設けられていた多数のマス３３，３３…が、予備撒きカセット７１では７行（矢印Ｂ方向の並び数）・８列（矢印Ａ方向の並び数）の５６個になっている。
【００３８】
多列コンベア７２は、薬剤受取位置の区画室６０，６０…を６個から予備撒きカセット７１のマス行数の７個に増やした単列コンベア５０と同様のものを基本単位のコンベアにしており、さらに、それが予備撒きカセット７１のマス列数の８単位ほど左右（矢印Ａの方向）に並べて設けられている。
しかも、多列コンベア７２では、８個の各コンベアがそれぞれ独立して縦面内で循環運動できるよう、個別に小型モータが無端ベルトの下方などに付設されるとともに、隣り合っている無端ベルトの間隙に収まる薄いギヤ等の伝動部材も個別に付設されている。
【００３９】
また、多列コンベア７２の何れの単位コンベアも、薬剤排出側の端部をホッパ１３の上方に位置させているので、排出した薬剤を他のコンベアの介在無しでホッパ１３へ送り込むことができる。
このような薬剤手撒き装置７０も、多列コンベア７２による縦面内のコンベア送りを各列の単位コンベアについて適切に同期させる制御を行うことにより、上述した薬剤手撒き装置２０と同様に、収容薬剤を一区画室分ずつ、ひいては手撒き薬剤を一マス分ずつ、落下排出して分包に供するものとなる。
【００４０】
［その他］
上記実施例の区画室６０では、前方分割体６１と後方分割体６２とが合体時に分割箇所で当接し合うだけであったが、前方分割体６１の両側部と後方分割体６２の両側部とが内外に重なるようになっていても良く、例えば前方分割体６１の長い両側部の一部が後方分割体６２の短い両側部の内側に入り込むようにしても良い。
上記実施例１では、多列コンベア４０と単列コンベア５０とに同じ区画室６０が採用されていたが、区画室６０は、多列コンベア４０と単列コンベア５０とで全く同じである必要はなく、基本構成が共通していて本発明の実施に必要な機能を発揮するものであれば、サイズや各部寸法などは異なっていても良い。
【００４１】
上記実施例の多列コンベア４０，７０では、各列の間に何も無いものを図示したが、区画室６０の移動を安定化させる仕切板などを各列の間や列外等に設けても良く、飛び跳ねた薬剤８の不所望な紛失や混入を防止する隙間閉塞板などを適宜箇所に設けても良い。
上記実施例では、表示について言及しなかったが、２度撒きの文字や，使用するマスの個数，縦横のマス数，使用すべきマスの位置，マス群の周囲の囲みなどを示す表示器を予備撒きカセット３０に付設しても良く（例えば特許文献１参照）、予備撒きカセットを出し入れ可能な枠体の上面に装備した開閉式の蓋体について、薬品名を選択可能に画面表示させるとともに選択薬剤の手撒き範囲を点灯させても良い（例えば特許文献２参照）。
【産業上の利用可能性】
【００４２】
本発明の薬剤手撒き装置は、図１（ａ），（ｂ）に示した錠剤分包機に組み込める他、散薬分包機や錠剤散薬混合タイプの薬剤分包機にも組み込むことができる。筐体に薬剤手撒き装置と包装機とを装備して、手撒き式の分包機にすることもできる。
また、筐体に薬剤手撒き装置を装備する具体的な態様は、上記実施例のように予備撒きカセットを筐体から引き出し可能に実装する態様に限られる訳ではない。予備撒きカセットのマスに薬剤を手撒きできれば良いので、例えば、予備撒きカセットを筐体上面に固定しても良く、予備撒きカセットを筐体の天板に着脱するのでも良い。
【符号の説明】
【００４３】
８…薬剤、１０…薬剤分包機（錠剤分包機）、１１…筐体、
１２…包装機、１３…ホッパ（薬剤収集機構）、
２０…薬剤手撒き装置、２２…被当接部材、２４…無端ベルト（コンベア）、
３０…予備撒きカセット、３３…マス（区分収容体）、
４０…多列コンベア（コンベヤー）、５０…単列コンベア（コンベヤー）、
６０…区画室（区分収容体）、６１…前方分割体、６２…後方分割体、
６３…連結部、６４…取付部、６５…当接部、
７０…薬剤手撒き装置、７１…予備撒きカセット、７２…多列コンベア
【図１】
0006362112.tif 000002
【図２】
0006362112.tif 000003
【図３】
0006362112.tif 000004